(57)【要約】【課題】  燃料ノズルの周囲に負圧が発生することのないようにし、エネルギー効率をさらに改善できる新しいジェットバーナーを提供する。【解決手段】  ジェットバーナー１は、基板部１０とそれより前方に設けられた筒体２０とを有し、筒体２０内に空気を供給するとともに、基板部１０に取り付けられた燃料ノズル１４より燃料を噴射して筒体２０内で高温燃焼させ、それによる膨張ガスを筒体２０の前方の吐出口３０より超音速で噴射するものである。あらかじめ加熱した空気を、上記燃料ノズル１４の先端部よりも後方から筒体２０内に供給するよう構成した。【選択図】      図１
2008032317.tif 000002
【特許請求の範囲】
【請求項１】
基板部とそれより前方に設けられた筒体とを有し、筒体内に助燃流体を供給するとともに、基板部に取り付けられた燃料ノズルより燃料を噴射して筒体内で高温燃焼させ、それによる膨張ガスを筒体前方の吐出口より超音速で噴射するジェットバーナーであって、
あらかじめ加熱された助燃流体が、上記燃料ノズルの先端部よりも後方から筒体内に供給されるよう構成されていることを特徴とするジェットバーナー。
【請求項２】
燃料ノズルよりも前方には、燃料ノズルから噴射された燃料を旋回させるための助燃流体の吐出口が設けられていないことを特徴とする請求項１に記載のジェットバーナー。
【請求項３】
内外に重なる複数の筒によって上記の筒体が構成され、それら複数の筒の間に助燃流体の加熱のための流路が形成されていること、
最も外側の筒が基板部に固定されているとともに、最も内側の筒が、その前方端付近を最も外側の筒に固定されていること、
および、最も内側の筒の後方端は、燃料ノズルが設けられた基板部の凹部内にスライド可能に挿入され、かつ、当該凹部の内側壁面との間に、燃料ノズルの後方への助燃流体の供給経路を有していること
を特徴とする請求項１または２に記載のジェットバーナー。
【請求項４】
最も内側の筒の後方には取り換え可能なソケットが連結されていて、
当該ソケットの後方端が、燃料ノズルが設けられた基板部の凹部内にスライド可能に挿入され、かつ、当該凹部の内側壁面との間に、燃料ノズルの後方への助燃流体の供給経路を有していることを特徴とする請求項３に記載のジェットバーナー。
【請求項５】
上記ソケットの前方端付近に、最も内側の筒の内周面に沿う方向へ助燃流体を送り出すための流路が形成されていることを特徴とする請求項４に記載のジェットバーナー。
【請求項６】
上記の筒体が内外二重の筒によって構成されており、助燃流体が、前方端付近においてそれら二重の筒の間に供給され、内側の筒の外周面に螺旋状に設けられたフィンに沿って後方端にまで送られたうえ、燃料ノズルよりも後方から筒体内に供給されることを特徴とする請求項１〜５のいずれかに記載のジェットバーナー。
【請求項７】
筒体前方の吐出口に、交換可能な状態に先端絞り部分が取り付けられていることを特徴とする請求項１〜６のいずれかに記載のジェットバーナー。
【発明の詳細な説明】
【技術分野】
【０００１】
請求項に係る発明は、高温燃焼を利用して吐出口より衝撃波を発生できるジェットバーナーに関するものである。
【背景技術】
【０００２】
ジェットバーナーは、筒体内に空気等の助燃流体を供給するとともに、灯油やプロパンガス、天然ガス等の燃料を噴射して筒体内で高温燃焼させ、それによる膨張ガスを筒体前方の吐出口より超音速で噴射し得るものである。超音速のガスの噴射にともなう衝撃波の作用により、たとえば産業廃棄物や生ゴミ、汚泥等の粉砕および乾燥に使用することができる。
【０００３】
ジェットバーナーに関する刊行物として、たとえば下記の特許文献１・２がある。
特許文献１に記載のジェットバーナーは図５に示す構造を有し、基板部１０（図５についての符号は図中の大きめの文字をさす）に取り付けられた燃料ノズル１４より燃料を噴射して筒体２０内で高温燃焼させ、前方の吐出口３０より超音速で膨張ガスを噴射する。燃料の燃焼を助ける空気は、基板部１０にある第一空気吐出口２７または筒体２０の基部付近にある第二空気吐出口２８より筒体２０内に供給される。第一および第二の空気吐出口２７・２８は斜め前方へ空気を供給するものだが、噴射された燃料を旋回させるよう、燃料ノズル１４（および筒体２０）の中心線に向かう方向から一定角度だけ同じ向きに傾斜させた、いわゆる旋回型の配置とされている。
【０００４】
特許文献２のジェットバーナーは図６に示す概略構造をもち、図５のものと同様、基板部１０（図６についての符号は図中の大きめの文字をさす）の燃料ノズル（バーナノズル）１４より燃料を噴射して筒体２０内で高温燃焼させ、前方の吐出口３０より衝撃波とともにガスを噴射する。空気は、基板部１０にある空気噴射（吐出）口２９（やはり噴射燃料を旋回させるよう、中心線に向かう方向から同じ向きに一定角度傾斜させた旋回型の配置とされている）より筒体２０内に供給される。
【特許文献１】特許第３６９１０４９号公報
【特許文献２】特許第３１０５１８２号公報
【発明の開示】
【発明が解決しようとする課題】
【０００５】
特許文献１・２（図５・図６を参照）のいずれのジェットバーナーにおいても、助燃流体である空気の吐出口（空気ノズル。図５・図６中の符号２７・２８・２９）は、燃料ノズルの先端部（燃料噴射口）よりも前方、またはそれと並んだ位置にあり、燃料ノズルの先端部よりも前方へ向けて空気を吐出するよう配置されている。
【０００６】
そのような位置関係にあると、燃焼時には、基板部に取り付けられた燃料ノズルの周囲に負圧部分が形成され、燃料の完全燃焼が妨げられやすい。燃料ノズルの後方は基板部によって閉じられているうえ、燃料ノズルおよび空気吐出口からは前方に向けてそれぞれ高速度で燃料および空気が噴射されるからである。そうして負圧の部分が発生すると、上記のように完全燃焼が妨げられるほか、筒体内で空気等が基板部に向かう無用なガス流を形成するなど、燃料や空気のもつエネルギーを十分に効率的には利用できないことになる。不完全燃焼に起因して煤が発生する場合もある。
【０００７】
請求項の発明は、そのような課題を解決するためになしたもので、燃料ノズルの周囲に負圧が発生することのないようにし、エネルギー効率をさらに改善できる新しいジェットバーナーを提供するものである。
【課題を解決するための手段】
【０００８】
請求項に係るジェットバーナーは、基板部とそれより前方に設けられた筒体とを有し、筒体内に助燃流体（空気等）を供給するとともに、基板部に取り付けられた燃料ノズルより燃料を噴射して筒体内で高温燃焼させ、それによる膨張ガスを筒体前方の吐出口より超音速で噴射するジェットバーナーにおいて、あらかじめ加熱した助燃流体を、上記燃料ノズルの先端部（燃料噴射口）よりも後方から筒体内に供給するよう構成したことを特徴とする。
なお、上記において「前方」とは、膨張ガスの吐出口に近い先端側をさし、「後方」とは、当該吐出口から遠い側、すなわち基板部等がある基部の側をさす。
【０００９】
こうしたジェットバーナーでは、燃料ノズルよりも後方から筒体内に助燃流体を供給するため、燃料ノズルの基部付近等に負圧の発生することを防止できる。そうすると、ノズルから噴射される燃料が助燃流体とよく接触し混合されて完全燃焼しやすいうえ、燃料および助燃流体に無駄な流れの発生することも防止できる。その結果、燃料および助燃流体がもつ化学的エネルギーおよび運動エネルギーが効果的に利用され、発生する衝撃波のエネルギーを効率的に高めることが可能である。
燃料ノズルの後方という、負圧になりやすい部分に助燃流体を供給するのであるから、助燃流体の供給が容易であるというメリットもある。つまり、助燃流体の供給圧力を従来のもの（たとえば図５・図６で吐出口２７・２８・２９から供給される空気の圧力）より低くしても、筒体内から押し出される（逆流する）ことが避けられる。
助燃流体は、上記のとおり事前に加熱したものを供給するため、そのことによっても燃焼効率が高められ、エネルギーの利用効率が向上することとなる。
燃料ノズルの後方から前方へ供給する上記の助燃流体は、たとえば、燃料ノズルの中心線に向かう方向から一定角度だけ傾斜した向きに送り込み、当該中心線回りで一定方向へ回転する向きの速度をもたせたいわゆる旋回流として供給することもできる。そのようにすれば、助燃流体と燃料との混合がとくに促進されやすいという利点がある。
【００１０】
燃料ノズルよりも前方には、燃料ノズルから噴射された燃料を旋回させるための助燃流体の吐出口（つまり、燃料ノズルの中心線に向かう方向から一定角度だけ傾斜した向きに助燃流体を噴射する吐出用ノズル）を設けないこととするのもよい。
【００１１】
そうすれば、ジェットバーナーの筒体内に助燃流体を供給するための構造が大幅に簡単化されるうえ、ジェットバーナーにおける熱的および機械的負担が軽減される。たとえば図５・図６のジェットバーナーに取り付けられた吐出口２７・２８・２９などを配置する必要がなくなるからである。図５・図６のように吐出口２７・２８・２９を設ける場合には、i)筒体等に対して特定の向きに貫通孔を設けたうえノズル状の短管を製作して挿入・溶接するなど、容易でない加工と組立とが必要になるうえ、ii)筒体等におけるかなりの高温にさらされる部分にそのような不連続な加工を施して異質物を溶接等する以上、局部的な熱応力等を生じてジェットバーナーの力学的負担がさらに増すことは避けられず、相当の構造的対処が必要になる。そのような吐出口を設けないこととすれば、構造は大幅に簡単化され、熱的および機械的負担も大幅に軽減されるのである。
燃料ノズルよりも前方に上記のような吐出口を設けないとしても、燃料ノズルの後方から助燃流体を供給する場合には、同流体と燃料との十分な混合が行われやすい。もし旋回流を形成する必要があるとしても、燃料ノズルの後方から供給する助燃流体に旋回流を形成しておくことで対応が可能である。
図１・図２に示す例では、燃料ノズルよりも前方には、同ノズルから噴射された燃料を旋回させるための助燃流体の吐出口を設けていない。ソケット２５の前方端付近には助燃流体を筒体内に送り出すための貫通孔２５ｅとミゾ状の流路２５ｄとを設けている（図２・図３を参照）とはいえ、前者はソケット２５の中心線に向かうものであって旋回流を形成するものでなく、後者は、筒体の冷却のために筒体内周面に沿って助燃流体を流すもので、やはり燃料を旋回させるものではない。そしてこれらは、図５・図６の吐出口２７・２８・２９とは違って複雑な加工・組立を必要とせず、局部的な熱応力等を発生させることもない。
【００１２】
発明のジェットバーナーは、とくにつぎのように構成すると好ましい。すなわち、
・  内外に重なる複数の筒によって上記の筒体を構成し、それら複数の筒の間に助燃流体の加熱のための流路を形成し、
・  最も外側の筒を基板部に固定するとともに、最も内側の筒は、その前方端付近を最も外側の筒に固定し、
・  最も内側の筒の後方端は、燃料ノズルが設けられた基板部（またはそれと一体の部材）の凹部内にスライド可能に挿入し、かつ、当該凹部の内側壁面との間に、燃料ノズルの後方への助燃流体の供給経路を形成する。
【００１３】
そのようにすると、つぎのような作用効果がもたらされる。
・  内外の複数の筒の間に形成された流路に助燃流体を流すことにより当該助燃流体の加熱（予熱）を行うので、特別な加熱手段を使用しなくとも、加熱された助燃流体を筒体内に供給することができる。
・  最も内側の筒は、前方端付近を最も外側の筒に固定するとともに後方端を基板部の凹部内にスライド可能に挿入するので、熱的負荷が最も高いにもかかわらず熱膨張にともなう無理な応力の発生が避けられる。最も外側の筒との間に熱膨張差があっても、後方端が上記凹部内でスライドすることにより熱応力の発生をなくすからである。なお、最も外側と最も内側の各筒の間に別の筒が配置される場合、間に配置される筒についても、前方または後方の端部を長手方向に変位自在な状態にしておくのがよい。
・  筒の間の上記流路を流れることにより加熱された助燃流体は、最も内側の筒の後方端と基板部の凹部の内側壁面との間に形成された供給経路によって燃料ノズルの後方へ送られる。局部的な熱応力等を発生する原因となる短管（吐出用ノズル）等を必要とせず、構造の簡単な供給経路を経てスムーズに供給されるわけである。
【００１４】
またさらに、最も内側の筒の後方には取り換え可能なソケット（たとえば図２・図３に示すソケット２５）を連結し、当該ソケットの後方端を、燃料ノズルが設けられた基板部（またはそれと一体の部材）の凹部内にスライド可能に挿入し、かつ、当該凹部の内側壁面との間に、燃料ノズルの後方への助燃流体の供給経路（たとえば図２に示す経路２５ｂ）を形成すると好ましい。
【００１５】
こうしてソケットを使用すると、燃料ノズルの後方への助燃流体の供給を容易に調節することができる。すなわち、同じ筒体等を使用する同一のバーナーであっても、ソケットを交換することにより、当該ソケットの後方端と凹部の内側壁面との間に形成される供給経路の大きさ（断面積）や向き、出口位置等を変更することができ、もって助燃流体の供給量・供給方向・供給箇所等を調節できるのである。そのような調節ができると、ジェットバーナーが吐出する膨張ガスの圧力、衝撃波の強さ等も変更することが可能になる。
【００１６】
上記のようにソケットを使用する場合、ソケットの前方端付近に、最も内側の筒の内周面に沿う方向へ助燃流体を送り出すための流路（たとえば図２に示す流路２５ｄ）を形成するとよい。
ソケットを使用してこのように流路を形成すると、最も内側の筒の内周面を効果的に冷却することができる。筒体内に供給されたばかりで筒体内よりも温度の低い助燃流体が、最も内側の筒の内周面に沿って流れるからである。しかも、熱負荷の高い最も内側の筒には、助燃流体の吐出用ノズルなど特別な部品を取り付けたり特殊な加工を施したりする必要がない。
【００１７】
上記の筒体を内外二重の筒（たとえば図１に示す筒２１・２２）によって構成し、助燃流体を、前方端付近においてそれら二重の筒の間に供給し、内側の筒の外周面に螺旋状に設けられたフィンに沿って後方端にまで送ったうえ、燃料ノズルよりも後方から筒体内に供給することとするのも好ましい。
筒体を二重の筒で構成すると、従来（図５・図６を参照）のように三重にするよりも構造が簡単になる。助燃流体は、上記のフィンに沿って二重の筒の間を一方向に流れ、その間に内側の筒を冷却するとともに加熱（予熱）されるので、三重の筒で筒体を構成した場合と同様の作用効果を得ることができる。
【００１８】
筒体前方の吐出口に、交換可能な状態に先端絞り部分を取り付けるととくに好ましい。図１および図４に示す例は、先端絞り部分３３をそのように取り付けたものである。
先端絞り部分は、ジェットバーナーにおいて摩耗や損傷が最も発生しやすいため、この部分を交換可能に取り付けるなら、ジェットバーナーのメンテナンスはきわめて容易になり、当該部分の交換を繰り返すことによって長期間ジェットバーナーを使用することが可能になる。また、先端絞り部分を交換すると、その径に合わせて燃料および助燃流体の量を変更することによりジェットバーナーの出力（衝撃波の強さ、発熱量など）を大きく変更することも可能になる。
【発明の効果】
【００１９】
請求項に係るジェットバーナーによれば、加熱した助燃流体を燃料ノズルの先端部よりも後方から筒体内に供給するので、燃料が完全燃焼しやすく、したがってエネルギー効率を高めることが可能である。助燃流体の供給が容易であるという利点もある。
燃料を旋回させるための助燃流体の吐出口を燃料ノズルよりも前方には設けないこととすれば、構造を簡単化するとともに熱的・機械的負担を低減することができる。
助燃流体を、事前に加熱したうえ、筒体に無理な熱応力が発生しないように、しかも簡単な構造に形成された経路によって、スムーズに燃料ノズルの後方から供給することも可能である。
【００２０】
取り換え可能なソケットを取り付けると、助燃流体の供給量等を調節することが容易であり、ジェットバーナーによる衝撃波の強さ等も変更することができる。
ソケットを使用する場合、最も内側の筒の内周面を、その筒に特別な部品を取り付けたりすることなく効果的に冷却することもできる。
筒体を二重の筒で構成することにより、従来のように三重にするよりも構造を簡単にすることができる。
筒体前方の吐出口に交換可能に先端絞り部分を取り付けると、メンテナンスが容易になるとともに出力を大きく変更することが可能になる。
【発明を実施するための最良の形態】
【００２１】
発明の実施に関する一形態を図１〜図４に示す。図１はジェットバーナー１の全体を示す縦断面図であり、その図１におけるII部およびIV部の詳細を図２・図４にそれぞれ示している。また図３は、図１・図２に示すソケット２５の斜視図である。
【００２２】
図１に示すとおりジェットバーナー１は、図示上方の基板部１０と、その前方（図示下方）に取り付けた筒体２０と、筒体２０の前方端に設けた吐出口３０とを主要部分として構成している。筒体２０の内部において燃料を１５００℃以上の高温度で燃焼させ、それによる膨張ガスを吐出口３０から超音速で噴射させることができる。超音速のガス噴射にともなう衝撃波の作用によって、ジェットバーナー１は、産業廃棄物や生ゴミ、汚泥等を粉砕および乾燥するため等に使用できる。燃料としてはプロパンガス（または灯油）を、１０〜４０kgf/cm2で毎時２０〜３０リットル程度、筒体２０（内筒２１）の内部に噴射する。助燃流体としては空気（または酸素を含む他のガス）を筒体２０内に供給する。
【００２３】
基板部１０は、図１のように三枚のフランジ状の基板１１・１２・１３をボルト等にて密に接合したもので、中央上部の基板１１には、筒体２０内に燃料を噴射する燃料ノズル１４と、燃料への点火をなす種火管１５とを取り付け、それらを、基板１３等により形成した凹部１０ａの中に配置している。基板１１にはさらに、耐熱ガラスを介して筒体２０内の燃焼状態等を観察できる覗き穴１６を設けてもいる。
【００２４】
筒体２０は、ステンレス等の金属で形成した円筒体で、内外に重なる内筒２１と外筒２２との二重構造として構成している。内筒２１と外筒２２との間のスペースには助燃流体である空気を流し、内筒２１を冷却するとともにその空気を予熱することとしている。図中の符号２３は、そうした空気による内筒２１の冷却効果を増すとともに空気を淀みなく流すためのフィンである。外筒２２の前方端（下端部）付近に連結口２２ｂを設け、それにより内筒２１と外筒２２との間に空気を送り込む。空気の供給圧力は、従来のジェットバーナーにおけるよりも低い約５kgf/cm2である。連結口２２ｂのやや後方に設けた他の連結口２２ｃからも、同様にして筒体２０内に空気を供給することが可能である。なお、符号２２ｄは、外筒２２に設けた取付け用のフレームである。
【００２５】
内筒２１の前方は上述のとおり吐出口３０に接続している。吐出口３０としては、図４のとおり、横断面積が次第に縮小する形のノズル３１を内筒２１の前方端にネジにて連結するとともに、ノズル３１の先に先端絞り部分３３を取り付けている。絞り部分３３は、ノズル３１に対しネジ部３３ａによって取り付けたので、ノズル３１およびジェットバーナー１の外側から容易に交換することができる。絞り部分３３の交換は、その内周面等が摩耗・損傷したときや、内径ｄを変えるとともに燃料や助燃流体の量を変更してジェットバーナー１の出力を増減するときに実施する。内筒２１の内径が１００ｍｍ程度であるのに対し、絞り部分３３の内径ｄは１５〜３０ｍｍとする。
【００２６】
筒体２０を構成する各筒２１・２２について、取り付けおよび連結の形態はつぎのとおりである。図１のように、まず外筒２２については、後方端（図示上端）を基板部１０（基板１３）に対し溶接により一体化している。外筒２２の前方端にはフランジ２２ａを溶接し、図４のように、そのフランジ２２ａに対しボルトによってノズル支持プレート３２を取り付ける。ノズル支持プレート３２は、ネジ部を介して前述のノズル３１を組み付けたものである。ノズル３１には内筒２１の前方端を連結することから、これにより、内筒２１の前方端を外筒２２の前方端に固定したことになる。一方、図１のように内筒２１の後方部分にはソケット２５（後述）を連結することとし、そのソケット２５の後方端を、基板部１０の凹部１０ａに挿入して長さ方向へのスライドが可能なようにしている。温度差等に起因して内筒２１・外筒２２間に熱膨張差が発生するものの、こうした連結形態により、内筒２１等に無理な応力の発生することが防止される。
【００２７】
ソケット２５の構造や、それと内筒２１との連結、およびそれらと基板部１０との関係は図２・図３に示すとおりである。
まず、ソケット２５そのものは図３のように形成している。すなわち、円形の短管の上部（ジェットバーナー１の後方に相当する側）における外周に、軸長方向に上端部まで延びた複数の窪み２５ａを設けるとともに、下部（前方に相当する側）には、厚さ方向に向かう貫通孔２５ｅと、それを含む箇所から外周に沿って下端部に至るミゾ２５ｃとを形成した。ソケット２５のうち貫通孔２５ｅよりも下方の部分には、上部との間に段差を介して小径部分２５ｆを設け、上記のミゾ２５ｃは、その小径部分２５ｆでは軸長方向から一定向きに約４５°だけ傾斜した方向に延びるよう形成している。また外周面の一部には、表面積を増やして冷却効果を高めるための環状溝２５ｇを設けてもいる。
【００２８】
こうしたソケット２５を、図２のように内筒２１の後方端（上端部）に連結したうえ、そのソケット２５の後方端を基板部１０の凹部１０ａ内に挿入している。内筒２１との連結は、ソケット２５のうち小径部分２５ｆを内筒２１の内側に差し込んだうえ、数箇所を溶接するかまたは他の固定手段を用いて両者間を固定する。基板部１０の凹部１０ａに対しては、いわゆるすきまばめの状態にして前記のようにソケット２５の後方端が長さ方向へスライドできるようにしている。
【００２９】
上記のようにソケット２５を取り付けたことにより、ソケット２５の後方端付近と基板部１０の凹部１０ａとの間には、内筒２１と外筒２２との間から窪み２５ａを経て凹部１０ａ内に至る空気の供給経路２５ｂを形成したこととなる。燃料ノズル１４は、基板部１０の凹部１０ａ内に前方へ向けて先端部を突出させた状態に設けているので、供給経路２５ｂを通して送る空気は、燃料ノズル１４の先端部よりも後方から筒体２０内に供給されることになる。
【００３０】
一方、ソケット２５の下部には上記のとおりミゾ２５ｃを設けたので、それと内筒２１の内面との間に流路２５ｄが形成される。したがって、内筒２１・外筒２２間を送られる空気の一部は、その流路２５ｄを経由したうえ内筒２１の内周面に沿って流れ、当該内周面の冷却に寄与することとなる。ミゾ２５ｃがソケット２５の軸長方向から一定向きに傾斜した方向に延びているため、これを経由する空気は、内筒２１の内周面に沿って斜め下方へ流れる。また、ミゾ２５ｃの上部には、ソケット２５の厚さ方向への貫通孔２５ｅがあるので、空気の他の一部はこれを経て筒体２０の中心線に向かい、燃料ノズル１４から噴射される燃料中への空気の混合を促進する。
【００３１】
以上のように構成した図１のジェットバーナー１においては、筒体２０の内筒２１・外筒２２間で予熱した空気を、燃料ノズル１４の基部（先端の噴射口よりも後方）を経て供給できるため、燃料の不完全燃焼が避けられるなど、エネルギーの利用効率が高くなる。熱負荷の高い内筒２１を、複雑な加工等を施すことなく、しかも内周面を空気にて冷却しながら使用できるという利点もある。筒体２０を、三重構造よりも簡単に二重の筒２１・２２のみで構成したこと、それらの筒２１・２２に無理な熱応力が生じないようにしたこと、さらには、ノズル３１の先端絞り部分３３を交換可能にしてメンテナンスと出力調節とを容易にしたことも、このジェットバーナー１の特長である。
【図面の簡単な説明】
【００３２】
【図１】発明の実施形態を示す図で、ジェットバーナー１の全体を示す縦断面図である。
【図２】図１におけるII部の詳細を示す縦断面図である。
【図３】図１・図２に示すソケット２５の詳細を示す斜視図である。
【図４】図１におけるIV部の詳細を示す縦断面図である。
【図５】従来のジェットバーナーを示す縦断面図である。
【図６】従来の他のジェットバーナーを示す縦断面図である。
【符号の説明】
【００３３】
１  ジェットバーナー
１０  基板部
１０ａ  凹部
１４  燃料ノズル１４
２０  筒体
２１  内筒
２２  外筒
２５  ソケット
２５ｂ  供給経路
２５ｄ  流路
３０  吐出口
３３  先端絞り部分
【図１】
2008032317.tif 000003
【図２】
2008032317.tif 000004
【図３】
2008032317.tif 000005
【図４】
2008032317.tif 000006
【図５】
2008032317.tif 000007
【図６】
2008032317.tif 000008
【手続補正書】
【提出日】平成19年7月26日(2007.7.26)
【手続補正１】
【補正対象書類名】特許請求の範囲
【補正対象項目名】全文
【補正方法】変更
【補正の内容】
【特許請求の範囲】
【請求項１】
基板部とそれより前方に設けられた筒体とを有し、筒体内に助燃流体を供給するとともに、基板部に取り付けられた燃料ノズルより燃料を噴射して筒体内で高温燃焼させ、それによる膨張ガスを筒体前方の吐出口より超音速で噴射するジェットバーナーであって、
あらかじめ加熱された助燃流体が、上記燃料ノズルの先端部よりも後方から筒体内に供給されるよう構成されていること、
内外に重なる複数の筒によって上記の筒体が構成され、それら複数の筒の間に助燃流体の加熱のための流路が形成されていること、
最も内側の筒の後方には取り換え可能なソケットが連結されていて、当該ソケットの後方端が、燃料ノズルが設けられた基板部の凹部内に挿入され、かつ、当該凹部の内側壁面との間に、燃料ノズルの後方への助燃流体の供給経路を有していること、
および、上記ソケットの前方端付近に、最も内側の筒の内周面に沿う方向へ助燃流体を送り出すための流路が形成されていること
を特徴とするジェットバーナー。
【請求項２】
燃料ノズルよりも前方には、燃料ノズルから噴射された燃料を旋回させるための助燃流体の吐出口が設けられていないことを特徴とする請求項１に記載のジェットバーナー。
【請求項３】
上記の複数の筒のうち最も外側の筒が基板部に固定されているとともに、最も内側の筒が、その前方端付近を最も外側の筒に固定されていること、
および、最も内側の筒に連結された上記ソケットの後方端は、燃料ノズルが設けられた基板部の凹部内にスライド可能に挿入されていること
を特徴とする請求項１または２に記載のジェットバーナー。
【請求項４】
上記の筒体が内外二重の筒によって構成されており、助燃流体が、前方端付近においてそれら二重の筒の間に供給され、内側の筒の外周面に螺旋状に設けられたフィンに沿って後方端にまで送られたうえ、燃料ノズルよりも後方から筒体内に供給されることを特徴とする請求項１〜３のいずれかに記載のジェットバーナー。
【請求項５】
筒体前方の吐出口に、交換可能な状態に先端絞り部分が取り付けられていることを特徴とする請求項１〜４のいずれかに記載のジェットバーナー。
【手続補正２】
【補正対象書類名】明細書
【補正対象項目名】０００８
【補正方法】変更
【補正の内容】
【０００８】
請求項に係るジェットバーナーは、基板部とそれより前方に設けられた筒体とを有し、筒体内に助燃流体（空気等）を供給するとともに、基板部に取り付けられた燃料ノズルより燃料を噴射して筒体内で高温燃焼させ、それによる膨張ガスを筒体前方の吐出口より超音速で噴射するジェットバーナーにおいて、あらかじめ加熱した助燃流体を、上記燃料ノズルの先端部（燃料噴射口）よりも後方から筒体内に供給するよう構成したことを特徴とする。また、後述するように、内外に重なる複数の筒によって上記の筒体を構成し、それら複数の筒の間に助燃流体の加熱のための流路を形成することとしたうえ、最も内側の筒の後方には取り換え可能なソケットを連結し、当該ソケットの後方端を、燃料ノズルが設けられた基板部の凹部内に挿入し、かつ、当該凹部の内側壁面との間に、燃料ノズルの後方への助燃流体の供給経路を設けることとし、さらに、上記ソケットの前方端付近に、最も内側の筒の内周面に沿う方向へ助燃流体を送り出すための流路を形成することをも特徴とする。
なお、上記において「前方」とは、膨張ガスの吐出口に近い先端側をさし、「後方」とは、当該吐出口から遠い側、すなわち基板部等がある基部の側をさす。
【手続補正３】
【補正対象書類名】明細書
【補正対象項目名】００１９
【補正方法】変更
【補正の内容】
【００１９】
請求項に係るジェットバーナーによれば、加熱した助燃流体を燃料ノズルの先端部よりも後方から筒体内に供給するので、燃料が完全燃焼しやすく、したがってエネルギー効率を高めることが可能である。助燃流体の供給が容易であるという利点もある。また、ソケットを連結し助燃流体の流路を形成することから、下記のとおり、吐出する膨張ガスの圧力、衝撃波の強さ等を変更することができ、最も内側の筒の内周面を効果的に冷却できるようにもなる。
燃料を旋回させるための助燃流体の吐出口を燃料ノズルよりも前方には設けないこととすれば、構造を簡単化するとともに熱的・機械的負担を低減することができる。
助燃流体を、事前に加熱したうえ、筒体に無理な熱応力が発生しないように、しかも簡単な構造に形成された経路によって、スムーズに燃料ノズルの後方から供給することも可能である。